(57)【要約】【課題】複数備える自己の電話番号の使い分けの誤りを防ぐことができる携帯無線端末を実現する。【解決手段】相手電話番号と、着信した自己の電話番号とを対応付けた着信履歴を着信履歴格納部１４ｂに登録しておき、発信する際にこの着信履歴を参照して発信先の相手電話番号が、以前に着信した相手電話番号であるかどうかを判断し、以前に着信した相手電話番号ならば、その際に使用した自己電話番号を着信履歴から抽出して発信するので、複数備える自己の電話番号の使い分けの誤りを防ぐことができる。この結果、複数備える自己の電話番号の内、既に相手が知っている自己の電話番号以外を通信相手に知られてしまったり、通信相手が見知らぬ電話番号からの着信で誰からの電話か判らずに混乱してしまうという弊害を解消することができる。【選択図】図６
2007181115.tif 000002
【特許請求の範囲】
【請求項１】
複数の自己電話番号を択一的に発信に使用する携帯無線端末であって、
通信した相手電話番号と前記通信で使用した自己電話番号とを対応付けて通信履歴を記憶する通信履歴記憶手段と、
発信指示された相手電話番号が以前に通信した相手電話番号であるか否かを前記通信履歴記憶手段に記憶される通信履歴を参照して判定する判定手段と、
前記判定手段により以前に通信した相手電話番号と判定された場合に、当該相手電話番号に対応付けられた自己電話番号を前記通信履歴記憶手段に記憶される通信履歴から抽出する抽出手段と、
前記抽出手段により抽出された自己電話番号を使用して発信指示された相手電話番号に発信する発信手段と
を具備することを特徴とする携帯無線端末。
【請求項２】
前記抽出手段は、
以前に通信した相手電話番号に対応付けられた自己電話番号を前記通信履歴記憶手段に記憶される通信履歴から検出する検出手段と、
前記検出手段により複数の自己電話番号が検出された場合に、検出された複数の自己電話番号を表示する表示手段と、
前記表示手段により表示される複数の自己電話番号の内から発信に使用する自己電話番号をユーザ操作に応じて選択する選択手段と
を具備することを特徴とする請求項１記載の携帯無線端末。
【請求項３】
前記抽出手段は、
以前に通信した相手電話番号に対応付けられた自己電話番号を前記通信履歴記憶手段に記憶される通信履歴から検出する検出手段と、
前記検出手段により検出される自己電話番号毎の検出回数を計数する計数手段と、
前記計数手段により計数された自己電話番号毎の検出回数の内、検出回数が最も多い自己電話番号を発信に使用する自己電話番号として選択する選択手段と
を具備することを特徴とする請求項１記載の携帯無線端末。
【請求項４】
複数の自己電話番号を択一的に発信に使用する携帯無線端末であって、
発信先の相手電話番号と発信に使用した自己電話番号とを対応付けて発信履歴を記憶する発信履歴記憶手段と、
発信指示された相手電話番号が以前に発信した相手電話番号であるか否かを前記発信履歴記憶手段に記憶される発信履歴を参照して判定する第１の判定手段と、
前記第１の判定手段が以前に発信した相手電話番号と判定した場合には、当該相手電話番号に対応付けられた自己電話番号を前記発信履歴記憶手段に記憶される発信履歴から抽出する第１の抽出手段と、
着信した相手電話番号と着信先の自己電話番号とを対応付けた着信履歴を記憶する着信履歴記憶手段と、
前記第１の判定手段が以前に発信した相手電話番号でないと判定した場合には、発信指示された相手電話番号が以前に着信した相手電話番号であるか否かを前記着信履歴記憶手段に記憶される着信履歴を参照して判定する第２の判定手段と、
前記第２の判定手段により以前に着信した相手電話番号と判定された場合に、当該相手電話番号に対応付けられた自己電話番号を前記着信履歴記憶手段に記憶される着信履歴から抽出する第２の抽出手段と、
前記第１および第２の抽出手段のいずれかにより抽出された自己電話番号を使用して発信指示された相手電話番号に発信する発信手段と
を具備することを特徴とする携帯無線端末。
【請求項５】
複数の自己アドレスを択一的にメール送信に使用する携帯無線端末であって、
メール通信した相手アドレスと前記メール通信で使用した自己アドレスとを対応付けて通信履歴を記憶する通信履歴記憶手段と、
送信指示されたメールの相手アドレスが以前に通信した相手アドレスであるか否かを前記通信履歴記憶手段に記憶される通信履歴を参照して判定する判定手段と、
前記判定手段により以前に通信した相手アドレスと判定された場合に、当該相手アドレスに対応付けられた自己アドレスを前記通信履歴記憶手段に記憶される通信履歴から抽出する抽出手段と、
前記抽出手段により抽出された自己アドレスを使用して送信指示されたメールを相手アドレスに送信するメール送信手段と
を具備することを特徴とする携帯無線端末。
【請求項６】
コンピュータに、
通信した相手電話番号と前記通信で使用した自己電話番号とを対応付けて着信履歴を記憶する着信履歴記憶処理と、
発信指示された相手電話番号が以前に通信した相手電話番号であるか否かを前記着信履歴記憶処理にて記憶される通信履歴を参照して判定する判定処理と、
前記判定処理により以前に通信した相手電話番号と判定された場合に、当該相手電話番号に対応付けられた自己電話番号を前記通信履歴記憶処理にて記憶される通信履歴から抽出する抽出処理と、
前記抽出処理により抽出された自己電話番号を使用して発信指示された相手電話番号に発信する発信処理と
を実行させることを特徴とするプログラム。
【発明の詳細な説明】
【技術分野】
【０００１】
本発明は、複数備える自己の電話番号を選択的に使用する携帯無線端末およびプログラムに関する。
【背景技術】
【０００２】
ＵＩＭ（User Identity Module）カードに自己の電話番号を複数登録しておき、それらの内からユーザ操作で選択される電話番号を用いて通信する携帯無線端末が提案されており、この種の携帯無線端末については、例えば特許文献１に開示されている。
【０００３】
【特許文献１】特開平５−２８４１０３号公報
【発明の開示】
【発明が解決しようとする課題】
【０００４】
ところで、複数備える自己の電話番号を選択的に使用する携帯無線端末では、例えば仕事用の電話番号と私用の電話番号とに使い分ける等、用途別に区別することが多い。しかしながら、そのような使い分けを誤ると、仕事用の電話番号で通話する通信相手に対して私用の電話番号を用いて発信したり、あるいは私用の電話番号だけを用いて通話する通信相手に仕事用の電話番号で発信してしまい、この結果、それまで知られていなかった他の電話番号が通信相手に知られてしまう問題が生じる。また、通信相手にしてみれば、見知らぬ電話番号からの着信により誰からの電話か判らずに混乱してしまうという欠点もある。
【０００５】
本発明は、このような事情に鑑みてなされたもので、複数備える自己の電話番号の使い分けの誤りを防ぐことができる携帯無線端末およびプログラムを提供することを目的としている。
【課題を解決するための手段】
【０００６】
上記目的を達成するため、請求項１に記載の発明では、複数の自己電話番号を択一的に発信に使用する携帯無線端末であって、通信した相手電話番号と前記通信で使用した自己電話番号とを対応付けて通信履歴を記憶する通信履歴記憶手段と、発信指示された相手電話番号が以前に通信した相手電話番号であるか否かを前記通信履歴記憶手段に記憶される通信履歴を参照して判定する判定手段と、前記判定手段により以前に通信した相手電話番号と判定された場合に、当該相手電話番号に対応付けられた自己電話番号を前記通信履歴記憶手段に記憶される通信履歴から抽出する抽出手段と、前記抽出手段により抽出された自己電話番号を使用して発信指示された相手電話番号に発信する発信手段とを具備することを特徴とする。
【０００７】
上記請求項１に従属する請求項２に記載の発明では、前記抽出手段は、以前に通信した相手電話番号に対応付けられた自己電話番号を前記通信履歴記憶手段に記憶される通信履歴から検出する検出手段と、前記検出手段により複数の自己電話番号が検出された場合に、検出された複数の自己電話番号を表示する表示手段と、前記表示手段により表示される複数の自己電話番号の内から発信に使用する自己電話番号をユーザ操作に応じて選択する選択手段とを具備することを特徴とする。
【０００８】
上記請求項１に従属する請求項３に記載の発明では、前記抽出手段は、以前に通信した相手電話番号に対応付けられた自己電話番号を前記通信履歴記憶手段に記憶される通信履歴から検出する検出手段と、前記検出手段により検出される自己電話番号毎の検出回数を計数する計数手段と、前記計数手段により計数された自己電話番号毎の検出回数の内、検出回数が最も多い自己電話番号を発信に使用する自己電話番号として選択する選択手段とを具備することを特徴とする。
【０００９】
請求項４に記載の発明では、複数の自己電話番号を択一的に発信に使用する携帯無線端末であって、発信先の相手電話番号と発信に使用した自己電話番号とを対応付けて発信履歴を記憶する発信履歴記憶手段と、発信指示された相手電話番号が以前に発信した相手電話番号であるか否かを前記発信履歴記憶手段に記憶される発信履歴を参照して判定する第１の判定手段と、前記第１の判定手段が以前に発信した相手電話番号と判定した場合には、当該相手電話番号に対応付けられた自己電話番号を前記発信履歴記憶手段に記憶される発信履歴から抽出する第１の抽出手段と、着信した相手電話番号と着信先の自己電話番号とを対応付けた着信履歴を記憶する着信履歴記憶手段と、前記第１の判定手段が以前に発信した相手電話番号でないと判定した場合には、発信指示された相手電話番号が以前に着信した相手電話番号であるか否かを前記着信履歴記憶手段に記憶される着信履歴を参照して判定する第２の判定手段と、前記第２の判定手段により以前に着信した相手電話番号と判定された場合に、当該相手電話番号に対応付けられた自己電話番号を前記着信履歴記憶手段に記憶される着信履歴から抽出する第２の抽出手段と、前記第１および第２の抽出手段のいずれかにより抽出された自己電話番号を使用して発信指示された相手電話番号に発信する発信手段とを具備することを特徴とする。
【００１０】
請求項５に記載の発明では、複数の自己アドレスを択一的にメール送信に使用する携帯無線端末であって、メール通信した相手アドレスと前記メール通信で使用した自己アドレスとを対応付けて通信履歴を記憶する通信履歴記憶手段と、送信指示されたメールの相手アドレスが以前に通信した相手アドレスであるか否かを前記通信履歴記憶手段に記憶される通信履歴を参照して判定する判定手段と、前記判定手段により以前に通信した相手アドレスと判定された場合に、当該相手アドレスに対応付けられた自己アドレスを前記通信履歴記憶手段に記憶される通信履歴から抽出する抽出手段と、前記抽出手段により抽出された自己アドレスを使用して送信指示されたメールを相手アドレスに送信するメール送信手段とを具備することを特徴とする。
【００１１】
請求項６に記載の発明では、コンピュータに、通信した相手電話番号と前記通信で使用した自己電話番号とを対応付けて着信履歴を記憶する着信履歴記憶処理と、発信指示された相手電話番号が以前に通信した相手電話番号であるか否かを前記着信履歴記憶処理にて記憶される通信履歴を参照して判定する判定処理と、前記判定処理により以前に通信した相手電話番号と判定された場合に、当該相手電話番号に対応付けられた自己電話番号を前記通信履歴記憶処理にて記憶される通信履歴から抽出する抽出処理と、前記抽出処理により抽出された自己電話番号を使用して発信指示された相手電話番号に発信する発信処理とを実行させることを特徴とする。
【発明の効果】
【００１２】
請求項１、６に記載の発明によれば、通信した相手電話番号とその通信で使用した自己電話番号とを対応付けた通信履歴を記憶しておき、発信指示された相手電話番号が以前に通信した相手電話番号であるか否かを通信履歴を参照して判定する。以前に通信した相手電話番号と判定されると、当該相手電話番号に対応付けられた自己電話番号を通信履歴から抽出し、抽出した自己電話番号を使用して発信指示された相手電話番号に発信するので、複数備える自己の電話番号の使い分けの誤りを防ぐことができる。つまり、複数備える自己電話番号の内、既に通信相手が知っている自己電話番号以外を、ユーザの誤操作や勘違いなどで発信に使用してしまうことを防ぐことができる。これにより、既に相手が知っている自己の電話番号以外を通信相手に知られてしまったり、通信相手が見知らぬ電話番号からの着信で誰からの電話か判らずに混乱してしまうという弊害を解消することができる。
【００１３】
請求項２に記載の発明によれば、以前に通信した相手電話番号に対応付けられた自己電話番号を通信履歴から複数検出した場合、検出された複数の自己電話番号を表示し、それらの内から発信に使用する自己電話番号をユーザ操作に応じて選択するので、既に相手に複数の自己電話番号が知られている場合には、発信で使用する自己電話番号を選択する際に、ユーザの意思を反映させることができる。
【００１４】
請求項３に記載の発明によれば、以前に通信した相手電話番号との通話に使用した自己電話番号を通信履歴から検出して自己電話番号毎の検出回数を計数し、計数された自己電話番号毎の検出回数の内、検出回数が最も多い自己電話番号を発信に使用する自己電話番号として選択するので、既に相手に複数の自己電話番号が知られている場合には、その相手との通信で頻繁に使用された自己電話番号を使用することができる。
【００１５】
請求項４に記載の発明によれば、発信指示された相手電話番号が以前に発信した相手電話番号であるか否かを、発信先の相手電話番号と発信に使用した自己の電話番号とを対応付けた発信履歴を参照して判定する。以前に発信した相手電話番号と判定されると、その相手電話番号に対応付けられた自己電話番号を発信履歴から抽出する。一方、以前に発信した相手電話番号でないと判定されたならば、発信指示された相手電話番号が以前に着信した相手電話番号であるか否かを、着信した相手電話番号と着信先の自己電話番号とを対応付けた着信履歴を参照して判定する。以前に着信した相手電話番号と判定されると、当該相手電話番号に対応付けられた自己電話番号を着信履歴から抽出する。そして、発信履歴または着信履歴のいずれかから抽出された自己電話番号を使用して発信指示された相手電話番号に発信するので、発信履歴にも着信履歴にも相手電話番号が記憶されている場合には発信履歴を優先することになり、発信で使用する自己電話番号を選択する際に、通信相手の意思よりもユーザの意思を優先して反映させることができる。
【００１６】
請求項５に記載の発明では、送信指示されたメールの相手アドレスが以前に通信した相手アドレスであるか否かを、メール通信した相手アドレスとそのメール通信で使用した自己アドレスとを対応付けた通信履歴を参照して判定し、以前に通信した相手アドレスと判定されると、当該相手アドレスに対応付けられた自己アドレスを通信履歴から抽出し、抽出された自己アドレスを使用して送信指示されたメールを相手アドレスに送信するので、複数備える自己アドレスの内、既に通信相手が知っている自己アドレス以外を、ユーザの誤操作や勘違いなどでメール送信に使用してしまうことを防ぐことができる。これにより、既に通信相手が知っている自己アドレス以外を通信相手に知られてしまったり、通信相手が見知らぬアドレスからのメール受信で誰からのメールか判らずに混乱してしまうという弊害を解消することができる。
【発明を実施するための最良の形態】
【００１７】
以下、図面を参照して本発明の実施の一形態について説明する。
Ａ．第１実施形態
（１）構成
図１は第１実施形態による携帯電話１００の構成を示すブロック図である。携帯電話１００は、例えば折畳み開閉タイプの本体構造を有し、その本体ケース（図示せず）には、送受信用のアンテナ２、音声発生用のスピーカ３、カラー液晶パネル等から構成される表示部４、キー入力部５、音声入力用のマイク６、着脱自在な記憶媒体でデータの読み出しおよび書き込みが可能なメモリカード７、画像を撮像するカメラ８、着信報知するスピーカ９および振動によって着信通知するバイブレータ１０が設けられている。
【００１８】
キー入力部５には、各種専用スイッチと各種機能が割り当てられる機能スイッチとが設けられる。代表的な専用スイッチとして、パワーオンオフする電源スイッチ、通話開始／回線断時に操作されるオフフック／オンフックスイッチ等が設けられている。無線送受信部１１は、アンテナ２を介して受信した高周波信号を増幅して次段の無線信号処理部１２に出力する一方、無線信号処理部１２から出力される送信信号を高周波増幅してアンテナ２から送出する。
【００１９】
無線信号処理部１２は、無線送受信部１１によって増幅された高周波信号を復調する一方、制御部１３から供給される送信データを変調した送信信号を発生する。制御部１３は、システムバスを介してコマンドおよびデータの授受を行ってこの装置全体を制御する。本発明の要旨に係わる制御部１３の動作については追って詳述する。加入者情報記憶部１４は、自己の電話番号の他、発信履歴や着信履歴を記憶する。加入者情報記憶部１４の構成については追って詳述する。
【００２０】
システムＲＯＭ１５は、制御部１３によって実行されるプログラムの他、待受画面等を形成する各種画面データを記憶している。なお、制御部１３によって実行されるプログラムとは、後述する着信時処理、発信時処理、自己電話番号抽出処理、発信履歴記憶処理および通信終了時処理を含む。メモリ１６は、制御部１３の処理に用いる各種レジスタ・フラグデータを一時記憶するワークエリア、メールアドレスや送受信メールを保存するメールエリアおよびカメラ８から供給される撮像データを保存する画像データエリアを備える。
【００２１】
音声信号処理部１７は、通話中の音声データを音声信号にＤ／Ａ変換してスピーカ３から発音させたり、マイク６から出力される音声信号を音声データにＡ／Ｄ変換して制御部１３に入力したりする。ドライバ１８は、カメラ８が備えるＬＥＤ（発光素子）、着信通知用のスピーカ９およびバイブレータ１０を駆動する。ドライバ１９は、制御部１３からの指示に従い表示部４を表示駆動する。ドライバ２０は、制御部１３からの指示に従いメモリカード７に対してデータをリードライトする。メモリカード７は、制御部１３の指示に応じて、メモリ１６のデータエリアから転送されるデータを格納するデータエリアを備える。入出力インタフェース２１は、制御部１３の制御の下、ＵＳＢケーブルなどのシリアルインタフェースで接続される外部機器との間でデータ授受する。
【００２２】
（２）加入者情報記憶部１４の構成
図２は、加入者情報記憶部１４の構成を示す図である。この図に示すように、加入者情報記憶部１４は、発信履歴格納部１４ａ、着信履歴格納部１４ｂ、自己電話番号格納部１４ｃ、発信時使用自己電話番号格納部１４ｄ、自己電話番号直前設定情報格納部１４ｅから構成される。発信履歴格納部１４ａには、発信先の相手電話番号と発信に使用した自己の電話番号とを対応付けた発信履歴が記憶される。着信履歴格納部１４ｂには、着信した相手電話番号と着信先の自己電話番号とを対応付けた着信履歴が記憶される。
【００２３】
自己電話番号格納部１４ｃには、自己の電話番号が複数登録される。一度登録された自己の電話番号が利用休止などによって使用不可となる場合には、自己電話番号格納部１４ｃから消去される。発信時使用自己電話番号格納部１４ｄには、発信に使用する自己電話番号が記憶される。自己電話番号直前設定情報格納部１４ｅは、発信時使用自己電話番号格納部１４ｄに記憶される自己電話番号と異なる他の自己電話番号が発信に使用される場合に、発信時使用自己電話番号格納部１４ｄの自己電話番号を退避格納する。
【００２４】
（３）動作
次に、図３〜図８を参照して上記構成による携帯電話１００の制御部１３が実行する着信時処理、発信時処理、自己電話番号抽出処理、発信履歴記憶処理および通信終了時処理の各動作について説明する。
【００２５】
ａ．着信時処理の動作  
電源スイッチ操作に応じてパワーオン状態に設定された携帯電話１００では、制御部１３が図３に図示する着信時処理を実行し、ステップＳＡ１に処理を進める。ステップＳＡ１では、着信するまで待機し、着信すると、ここでの判断結果が「ＹＥＳ」になり、ステップＳＡ２に進む。ステップＳＡ２では、前述した着信履歴格納部１４ｂ（図２参照）の着信履歴登録件数が最大に達しているか否かを判断する。登録件数が最大に達していなければ、判断結果は「ＮＯ」になり、後述のステップＳＡ４に処理を進める。
【００２６】
一方、登録件数が最大に達していると、上記ステップＳＡ２の判断結果は「ＹＥＳ」になり、ステップＳＡ３に進み、着信履歴格納部１４ｂに登録される着信履歴の内、最古の着信履歴を削除する。次いで、ステップＳＡ４では、相手電話番号通知の有無、つまり発信者番号通知する着信であるかどうかを判断する。発信者番号通知であると、判断結果は「ＹＥＳ」になり、ステップＳＡ５に進み、通知された相手電話番号（発信者番号）と、着信した自己の電話番号とを対応付けて着信履歴格納部１４ｂに履歴登録して本処理を終える。これに対し、発信者番号非通知の着信ならば、上記ステップＳＡ４の判断結果は「ＮＯ」になり、ステップＳＡ６に進み、「相手電話番号無し」として、着信した自己の電話番号を対応付けて着信履歴格納部１４ｂに履歴登録して本処理を終える。
【００２７】
ｂ．発信時処理の動作  
次に、図４を参照して発信時処理の動作を説明する。待ち受け状態において、制御部１３は、図４に図示する発信時処理を実行し、ステップＳＢ１に処理を進め、相手電話番号を指定するキー入力の有無を判断する。相手電話番号を指定するキー入力が行われると、判断結果は「ＹＥＳ」になり、ステップＳＢ２に進む。ステップＳＢ２では、オフフックスイッチが操作されるまで待機し、オフフックスイッチの操作により発信指示が生じると、ここでの判断結果が「ＹＥＳ」になり、ステップＳＢ３に進み、指定された相手電話番号をメモリ１６のワークエリアに一時記憶させる。
【００２８】
続いて、ステップＳＢ４では、自己電話番号抽出処理を実行する。自己電話番号抽出処理では、後述するように、発信指示された相手電話番号が以前に着信した相手電話番号であるかどうかを着信履歴を参照して判断し、以前に着信した相手電話番号ならば、その際に使用した自己電話番号を着信履歴から抽出する。次いで、ステップＳＢ５では、発信先の相手電話番号が着信履歴格納部１４ｂの着信履歴に含まれているか否かを判断する。含まれていれば、判断結果は「ＹＥＳ」になり、ステップＳＢ６に処理を進めるが、含まれていなければ、判断結果が「ＮＯ」となり、後述するステップＳＢ１１（図５参照）に処理を進める。
【００２９】
ステップＳＢ６では、発信先の相手電話番号に対応付けられた自己電話番号が着信履歴格納部１４ｂの着信履歴に含まれているか否かを判断する。含まれていれば、判断結果は「ＹＥＳ」になり、ステップＳＢ７に処理を進めるが、含まれていなければ、判断結果が「ＮＯ」となり、後述するステップＳＢ１１（図５参照）に処理を進める。
【００３０】
ステップＳＢ７では、発信先の相手電話番号に対応付けられた自己電話番号が着信履歴格納部１４ｂの着信履歴に複数登録されているか否か、すなわち上記ステップＳＢ４の自己電話番号抽出処理によって、発信先の相手電話番号に対応付けられた自己電話番号が着信履歴から複数抽出されたかどうかを判断する。複数抽出されていなければ、判断結果は「ＮＯ」となり、後述のステップＳＢ１０（図５参照）に進む。一方、複数抽出されていると、判断結果が「ＹＥＳ」になり、ステップＳＢ８に進み、その抽出した複数の自己電話番号を表示部４に表示する。
【００３１】
そして、ステップＳＢ９では、表示部４に表示された複数の自己電話番号のいずれかが選択指示されるまで待機し、ユーザのキー操作によっていずれかの自己電話番号が選択されると、ここでの判断結果が「ＹＥＳ」になり、図５に図示するステップＳＢ１０に処理を進める。ステップＳＢ１０では、選択された自己電話番号が使用可能か否かを判断する。つまり、選択された自己電話番号が自己電話番号格納部１４ｃに記憶されている自己電話番号に含まれているか否かを検索する。例えば選択された自己電話番号が利用休止中などで使用不可能な場合には、選択された自己電話番号が自己電話番号格納部１４ｃに記憶されている自己電話番号に含まれておらず、判断結果が「ＮＯ」になり、ステップＳＢ１１に進む。
【００３２】
ステップＳＢ１１では、選択された自己電話番号の使用不可を表示部４に表示すると共に、使用可能な自己電話番号、つまり、自己電話番号格納部１４ｃに記憶されている自己電話番号を表示する。そして、ステップＳＢ１２では、上記ステップＳＢ１１による表示内容に基づき、使用可能な自己電話番号が選択指示されるまで待機し、ユーザのキー操作によって自己電話番号が選択されると、ここでの判断結果が「ＹＥＳ」になり、ステップＳＢ１３に進む。そして、ステップＳＢ１３では、選択された自己電話番号と、発信時使用自己電話番号格納部１４ｄに記憶される自己電話番号とが相違するかどうかを判断する。選択された自己電話番号と、発信時使用自己電話番号格納部１４ｄに記憶される自己電話番号とが一致する場合には、判断結果が「ＮＯ」になり、後述のステップＳＢ１６に進む。
【００３３】
一方、選択された自己電話番号と、発信時使用自己電話番号格納部１４ｄに記憶される自己電話番号とが相違する場合には、上記ステップＳＢ１３の判断結果が「ＹＥＳ」になり、ステップＳＢ１４に進む。ステップＳＢ１４では、発信時使用自己電話番号格納部１４ｄに記憶される自己電話番号を、自己電話番号直前設定情報格納部１４ｅに記憶する。次いで、ステップＳＢ１５では、選択された自己電話番号を発信時使用自己電話番号格納部１４ｄに記憶する。そして、ステップＳＢ１６に進み、発信する相手電話番号と、発信時使用自己電話番号格納部１４ｄに登録された自己電話番号とを対応付けた発信履歴を発信履歴格納部１４ａに登録する発信履歴記憶処理（後述する）を実行する。この後、ステップＳＢ１７にて網側に発信して本処理を終える。
【００３４】
ｃ．自己電話番号抽出処理の動作  
次に、図６を参照して自己電話番号抽出処理の動作を説明する。上述した発信時処理のステップＳＢ４（図４参照）を介して本処理が実行されると、制御部１３は、図６に図示するステップＳＣ１に処理を進め、着信履歴格納部１４ｂの着信履歴登録件数を抽出する。続いて、ステップＳＣ２では、着信履歴の番号を指定するポインタＮに初期値「１」をストアする。なお、初期値「１」は、着信履歴中の最新（先頭）の履歴を指定する値である。
【００３５】
次いで、ステップＳＣ３では、着信履歴格納部１４ｂに登録される着信履歴の内、ポインタＮで指定されるＮ番目の着信履歴を指定する。そして、ステップＳＣ４では、指定された着信履歴に相手電話番号が登録されているか否かを判断する。相手電話番号が登録されていなければ、判断結果は「ＮＯ」になり、ステップＳＣ８に進む。ステップＳＣ８では、ポインタＮの値が上記ステップＳＣ１にて抽出した着信履歴登録件数に達したか否か、つまり着信履歴の全てを検索し終えたかどうかを判断する。着信履歴の全てを検索し終えると、判断結果は「ＹＥＳ」となり、本処理を終えるが、検索し終えていなければ、判断結果が「ＮＯ」になり、ステップＳＣ９に進み、ポインタＮをインクリメントして歩進させた後、上記ステップＳＣ３に処理を戻す。
【００３６】
そして、歩進されたポインタＮで指定される着信履歴に相手電話番号が登録されていると、上記ステップＳＣ４の判断結果が「ＹＥＳ」になり、ステップＳＣ５に進む。ステップＳＣ５では、ポインタＮで指定される着信履歴に記憶されている相手電話番号と、前述したステップＳＢ３（図４参照）において、メモリ１６のワークエリアに一時記憶した相手電話番号とが一致するか否か、すなわち以前に着信した相手電話番号であるかどうかを判断する。以前に着信した相手電話番号でない場合、つまり初回の通話先ならば、判断結果は「ＮＯ」になり、ステップＳＣ８に進む。
【００３７】
一方、以前に着信した相手電話番号であると、上記ステップＳＣ５の判断結果は「ＹＥＳ」になり、ステップＳＣ６に進む。ステップＳＣ６では、ポインタＮで指定される着信履歴において、相手電話番号と共に自己電話番号が登録されているか否かを判断する。相手電話番号と共に自己電話番号が登録されていなければ、判断結果は「ＮＯ」になり、ステップＳＣ８に処理を進める。これに対し、相手電話番号と共に自己電話番号が登録されていると、判断結果が「ＹＥＳ」になり、ステップＳＣ７に進み、その自己電話番号を着信履歴から抽出してメモリ１６のワークエリアに一時記憶して本処理を終える。
【００３８】
このように、自己電話番号抽出処理では、発信しようとする相手電話番号が着信履歴に登録されているかどうか、つまり以前に着信した相手電話番号であるかどうかを着信履歴を参照して判断し、以前に着信した相手電話番号ならば、その際に使用した自己電話番号を着信履歴から抽出するようにしている。
【００３９】
ｄ．発信履歴記憶処理の動作  
次に、図７を参照して発信履歴記憶処理の動作を説明する。上述した発信時処理のステップＳＢ１６（図５参照）を介して本処理が実行されると、制御部１３は、図７に図示するステップＳＤ１に処理を進め、発信履歴格納部１４ａの発信履歴登録件数が最大に達しているか否かを判断する。登録件数が最大に達していなければ、判断結果は「ＮＯ」になり、ステップＳＤ３に進み、発信する相手電話番号と、発信時使用自己電話番号格納部１４ｄに登録された自己電話番号とを対応付けた発信履歴を発信履歴格納部１４ａに登録して本処理を終える。これに対し、登録件数が最大に達していると、上記ステップＳＤ１の判断結果が「ＹＥＳ」になり、ステップＳＤ２に進み、最古の発信履歴を削除した後、ステップＳＤ３において、発信する相手電話番号と、発信時使用自己電話番号格納部１４ｄに登録された自己電話番号とを対応付けた発信履歴を発信履歴格納部１４ａに登録して本処理を終える。
【００４０】
ｅ．通信終了時処理の動作  
次に、図８を参照して通信終了時処理の動作を説明する。通信終了時のオンフックスイッチ操作に応じて、制御部１３は図８に図示する通信終了時処理を実行してステップＳＥ１に進み、通信終了によりここでの判断結果が「ＹＥＳ」になり、ステップＳＥ２に進む。ステップＳＥ２では、加入者情報記憶部１４に設けられた自己電話番号直前設定情報格納部１４ｅ（図２参照）に、自己電話番号が記憶されているか否かを判断する。自己電話番号が記憶されていなければ、判断結果は「ＮＯ」になり、何も行わずに本処理を終える。
【００４１】
一方、自己電話番号が登録されていると、上記ステップＳＥ２の判断結果は「ＹＥＳ」になり、ステップＳＥ３に進む。ステップＳＥ３では、自己電話番号直前設定情報格納部１４ｅに記憶されている自己電話番号を、発信時使用自己電話番号格納部１４ｄ（図２参照）に登録する。そして、ステップＳＥ４に進み、自己電話番号直前設定情報格納部１４ｅをクリアして本処理を終える。
【００４２】
以上のように、第１実施形態では、相手電話番号と、着信した自己の電話番号とを対応付けた着信履歴を着信履歴格納部１４ｂに登録しておき、発信する際にこの着信履歴を参照して発信先の相手電話番号が、以前に着信した相手電話番号であるかどうかを判断し、以前に着信した相手電話番号ならば、その際に使用した自己電話番号を着信履歴から抽出して発信するので、複数備える自己の電話番号の使い分けの誤りを防ぐことができる。つまり、複数備える自己電話番号の内、既に通信相手が知っている自己電話番号以外を、ユーザの誤操作や勘違いなどで発信に使用してしまうことを防ぐことができる。これにより、既に相手が知っている自己の電話番号以外を通信相手に知られてしまったり、通信相手が見知らぬ電話番号からの着信で誰からの電話か判らずに混乱してしまうという弊害を解消することができる。
【００４３】
Ｂ．第２実施形態
次に、図９を参照して第２実施形態による自己電話番号抽出処理の動作を説明する。前述の第１実施形態と同様、発信時処理のステップＳＢ４（図４参照）を介して第２実施形態による自己電話番号抽出処理が実行されると、制御部１３は、図９に図示するステップＳＦ１に処理を進め、着信履歴格納部１４ｂの着信履歴登録件数を抽出する。続いて、ステップＳＦ２では、着信履歴の番号を指定するポインタＮに初期値「１」をストアする。なお、初期値「１」は、着信履歴中の最新（先頭）の履歴を指定する値である。
【００４４】
次いで、ステップＳＦ３では、着信履歴格納部１４ｂに登録される着信履歴の内、ポインタＮで指定されるＮ番目の着信履歴を指定する。そして、ステップＳＦ４では、指定された着信履歴に相手電話番号が登録されているか否かを判断する。相手電話番号が登録されていなければ、判断結果は「ＮＯ」になり、ステップＳＦ８に進む。ステップＳＦ８では、ポインタＮの値が上記ステップＳＦ１にて抽出した着信履歴登録件数に達したか否か、つまり着信履歴の全てを検索し終えたかどうかを判断する。着信履歴の全てを検索し終えると、判断結果は「ＹＥＳ」となり、本処理を終えるが、検索し終えていなければ、判断結果は「ＮＯ」になり、ステップＳＦ９に進み、ポインタＮをインクリメントして歩進させた後、上記ステップＳＦ３に処理を戻す。
【００４５】
そして、歩進されたポインタＮで指定される着信履歴に相手電話番号が登録されていると、上記ステップＳＦ４の判断結果が「ＹＥＳ」になり、ステップＳＦ５に進む。ステップＳＦ５では、ポインタＮで指定される着信履歴に記憶されている相手電話番号と、前述したステップＳＢ３（図４参照）において、メモリ１６のワークエリアに一時記憶した相手電話番号とが一致するか否か、すなわち以前に通話した相手電話番号であるかどうかを判断する。以前に通話した相手電話番号でない場合には、判断結果が「ＮＯ」になり、ステップＳＦ８に進む。
【００４６】
一方、以前に通話した相手電話番号であると、上記ステップＳＦ５の判断結果は「ＹＥＳ」になり、ステップＳＦ６に進む。ステップＳＦ６では、ポインタＮで指定される着信履歴において、相手電話番号と共に自己電話番号が登録されているか否かを判断する。相手電話番号と共に自己電話番号が登録されていなければ、判断結果は「ＮＯ」になり、ステップＳＦ８に処理を進める。これに対し、相手電話番号と共に自己電話番号が登録されていると、判断結果が「ＹＥＳ」になり、ステップＳＦ７に進み、その自己電話番号を着信履歴から抽出してメモリ１６のワークエリアに一時記憶して本処理を終える。
【００４７】
このように、第２実施形態による自己電話番号抽出処理では、発信指示された相手電話番号を着信履歴から全て探し出し、該当する相手電話番号にそれぞれ対応付けられた自己電話番号を全て抽出する。したがって、抽出された全ての自己電話番号を表示させ、その内から発信に使用する自己電話番号をユーザに選択させるので、既に相手に複数の自己電話番号が知られている場合には、発信で使用する自己電話番号を選択する際に、ユーザの意思を反映させることができる。
【００４８】
Ｃ．第３実施形態
次に、図１０〜図１１を参照して第３実施形態による自己電話番号抽出処理の動作を説明する。前述した第１実施形態と同様、発信時処理のステップＳＢ４（図４参照）を介して第３実施形態による自己電話番号抽出処理が実行されると、制御部１３は、図１０に図示するステップＳＧ１に処理を進め、発信履歴格納部１４ａの発信履歴登録件数を抽出する。続いて、ステップＳＧ２では、発信履歴の番号を指定するポインタＮに初期値「１」をストアする。なお、初期値「１」は、発信履歴中の最新（先頭）の履歴を指定する値である。
【００４９】
次いで、ステップＳＧ３では、発信履歴格納部１４ａに登録される発信履歴の内、ポインタＮで指定されるＮ番目の発信履歴を指定する。そして、ステップＳＧ４では、指定された発信履歴に相手電話番号が登録されているか否かを判断する。相手電話番号が登録されていなければ、判断結果は「ＮＯ」になり、ステップＳＧ８に進む。ステップＳＧ８では、ポインタＮの値が上記ステップＳＧ１にて抽出した発信履歴登録件数に達したか否か、つまり発信履歴の全てを検索し終えたかどうかを判断する。検索し終えていなければ、判断結果は「ＮＯ」になり、ステップＳＧ９に進み、ポインタＮをインクリメントして歩進させた後、上記ステップＳＧ３に処理を戻す。
【００５０】
そして、歩進されたポインタＮで指定される発信履歴に相手電話番号が登録されていると、上記ステップＳＧ４の判断結果が「ＹＥＳ」になり、ステップＳＧ５に進む。ステップＳＧ５では、ポインタＮで指定される発信履歴に記憶されている相手電話番号と、前述したステップＳＢ３（図４参照）において、メモリ１６のワークエリアに一時記憶した相手電話番号とが一致するか否か、すなわち以前に発信した相手電話番号であるかどうかを判断する。以前に発信した相手電話番号でない場合には、判断結果が「ＮＯ」になり、ステップＳＧ８に進む。
【００５１】
一方、以前に発信した相手電話番号であると、上記ステップＳＧ５の判断結果は「ＹＥＳ」になり、ステップＳＧ６に進む。ステップＳＧ６では、ポインタＮで指定される着信履歴において、相手電話番号と共に自己電話番号が登録されているか否かを判断する。相手電話番号と共に自己電話番号が登録されていなければ、判断結果は「ＮＯ」になり、ステップＳＧ８に処理を進める。これに対し、相手電話番号と共に自己電話番号が登録されていると、判断結果は「ＹＥＳ」になり、ステップＳＧ７に進み、その自己電話番号を発信履歴から抽出してメモリ１６のワークエリアに一時記憶して本処理を終える。
【００５２】
さて、発信指示された相手電話番号に対応付けられた自己電話番号が発信履歴から抽出されないまま発信履歴の全てを検索し終えると、上記ステップＳＧ８の判断結果が「ＹＥＳ」になり、図１１に図示するステップＳＧ１０に処理を進め、着信履歴格納部１４ｂの着信履歴登録件数を抽出する。続いて、ステップＳＧ１１では、着信履歴の番号を指定するポインタＮに初期値「１」をストアする。次いで、ステップＳＧ１２では、着信履歴格納部１４ｂに登録される着信履歴の内、ポインタＮで指定されるＮ番目の着信履歴を指定する。
【００５３】
そして、ステップＳＧ１３では、指定された着信履歴に相手電話番号が登録されているか否かを判断する。相手電話番号が登録されていなければ、判断結果は「ＮＯ」になり、ステップＳＧ１７に進む。ステップＳＧ１７では、ポインタＮの値が上記ステップＳＧ１０にて抽出した着信履歴登録件数に達したか否か、つまり着信履歴の全てを検索し終えたかどうかを判断する。着信履歴の全てを検索し終えると、判断結果は「ＹＥＳ」となり、本処理を終えるが、検索し終えていなければ、判断結果が「ＮＯ」になり、ステップＳＧ１８に進み、ポインタＮをインクリメントして歩進させた後、上記ステップＳＧ１２に処理を戻す。
【００５４】
そして、歩進されたポインタＮで指定される着信履歴に相手電話番号が登録されていると、上記ステップＳＧ１３の判断結果が「ＹＥＳ」になり、ステップＳＧ１４に進む。ステップＳＧ１４では、ポインタＮで指定される着信履歴に記憶されている相手電話番号と、前述したステップＳＢ３（図４参照）において、メモリ１６のワークエリアに一時記憶した相手電話番号とが一致するか否か、すなわち以前に着信した相手電話番号であるかどうかを判断する。以前に着信した相手電話番号でなければ、判断結果は「ＮＯ」になり、上述したステップＳＧ１７に進む。
【００５５】
一方、以前に着信した相手電話番号であると、上記ステップＳＧ１４の判断結果は「ＹＥＳ」になり、ステップＳＧ１５に進む。ステップＳＧ１５では、ポインタＮで指定される着信履歴において、相手電話番号と共に自己電話番号が登録されているか否かを判断する。相手電話番号と共に自己電話番号が登録されていなければ、判断結果は「ＮＯ」になり、上述したステップＳＧ１７に処理を進める。これに対し、相手電話番号と共に自己電話番号が登録されていると、判断結果が「ＹＥＳ」になり、ステップＳＧ１６に進み、その自己電話番号を着信履歴から抽出してメモリ１６のワークエリアに一時記憶して本処理を終える。
【００５６】
このように、第３実施形態による自己電話番号抽出処理では、発信指示された相手電話番号を発信履歴から探し出し、該当する相手電話番号が登録されていれば、その相手電話番号に対応付けられた自己電話番号、すなわち以前に発信した相手電話番号との通話に使用した自己電話番号を発信履歴から抽出する。一方、以前に発信した相手電話番号との通話に使用した自己電話番号が発信履歴に登録されていない場合には、発信指示された相手電話番号を着信履歴から探し出し、該当する相手電話番号が登録されていれば、その相手電話番号に対応付けられた自己電話番号、すなわち以前に着信した相手電話番号との通話に使用した自己電話番号を着信履歴から抽出するので、発信履歴にも着信履歴にも相手電話番号が記憶されている場合には発信履歴を優先することになり、発信で使用する自己電話番号を選択する際に、通信相手の意思よりもユーザの意思を優先して反映させることができる。
【００５７】
Ｄ．第４実施形態
次に、図１２を参照して第４実施形態による自己電話番号抽出処理の動作を説明する。前述の第１実施形態と同様、発信時処理のステップＳＢ４（図４参照）を介して第４実施形態による自己電話番号抽出処理が実行されると、制御部１３は、図１２に図示するステップＳＨ１に処理を進め、着信履歴格納部１４ｂの着信履歴登録件数を抽出する。続いて、ステップＳＨ２では、着信履歴の番号を指定するポインタＮに初期値「１」をストアする。なお、初期値「１」は、着信履歴中の最新（先頭）の履歴を指定する値である。
【００５８】
次いで、ステップＳＨ３では、着信履歴格納部１４ｂに登録される着信履歴の内、ポインタＮで指定されるＮ番目の着信履歴を指定する。そして、ステップＳＨ４では、指定された着信履歴に相手電話番号が登録されているか否かを判断する。相手電話番号が登録されていなければ、判断結果は「ＮＯ」になり、ステップＳＨ１１に進む。ステップＳＨ１１では、ポインタＮの値が上記ステップＳＨ１にて抽出した着信履歴登録件数に達したか否か、つまり着信履歴の全てを検索し終えたかどうかを判断する。検索し終えていなければ、判断結果は「ＮＯ」になり、ステップＳＨ１３に進み、ポインタＮをインクリメントして歩進させた後、上記ステップＳＨ３に処理を戻す。
【００５９】
そして、歩進されたポインタＮで指定される着信履歴に相手電話番号が登録されていると、上記ステップＳＨ４の判断結果が「ＹＥＳ」になり、ステップＳＨ５に進む。ステップＳＨ５では、ポインタＮで指定される着信履歴に記憶されている相手電話番号と、前述したステップＳＢ３（図４参照）において、メモリ１６のワークエリアに一時記憶した相手電話番号とが一致するか否か、すなわち以前に着信した相手電話番号であるかどうかを判断する。以前に着信した相手電話番号でない場合には、判断結果が「ＮＯ」になり、上述したステップＳＨ１１に進む。
【００６０】
一方、以前に着信した相手電話番号であると、上記ステップＳＨ５の判断結果は「ＹＥＳ」になり、ステップＳＨ６に進む。ステップＳＨ６では、ポインタＮで指定される着信履歴において、相手電話番号と共に自己電話番号が登録されているか否かを判断する。相手電話番号と共に自己電話番号が登録されていなければ、判断結果は「ＮＯ」になり、上述したステップＳＨ１１に処理を進める。
【００６１】
これに対し、相手電話番号と共に自己電話番号が登録されていると、判断結果が「ＹＥＳ」になり、ステップＳＨ７に進み、相手電話番号と共に登録されている自己電話番号が、既に抽出されている自己電話番号と同一であるか否かを判断する。同一ならば、判断結果は「ＹＥＳ」になり、ステップＳＨ８に進み、その自己電話番号の抽出回数をインクリメントした後、ステップＳＨ１１に進む。一方、同一でなければ、判断結果は「ＮＯ」になり、ステップＳＨ９に進み、相手電話番号と共に登録されている自己電話番号を着信履歴から抽出してメモリ１６のワークエリアに一時記憶する。次いで、ステップＳＨ１０では、その自己電話番号の抽出回数を「１」にセットした後、ステップＳＨ１１に進む。
【００６２】
以後、ポインタＮの値が着信履歴登録件数に達するまで上述したステップＳＨ３以降を繰り返すことによって、以前に着信した相手電話番号との通話に使用した自己電話番号を着信履歴から抽出すると共に、自己電話番号毎の抽出回数をカウントする。そして、ポインタＮの値が着信履歴登録件数に達して着信履歴の全てを検索し終えると、ステップＳＨ１１の判断結果が「ＹＥＳ」となり、ステップＳＨ１２に進む。ステップＳＨ１２では、メモリ１６のワークエリアに一時記憶した自己電話番号の内から抽出回数が最も多い自己電話番号を、発信に使用する自己電話番号として選択して本処理を終える。
【００６３】
このように、第４実施形態による自己電話番号抽出処理では、以前に着信した相手電話番号との通話に使用した自己電話番号を着信履歴から抽出すると共に、自己電話番号毎の抽出回数をカウントし、抽出回数が最も多い自己電話番号を、発信に使用する自己電話番号として選択するので、既に相手に複数の自己電話番号が知られている場合には、その相手との通信で頻繁に使用された自己電話番号を使用することができる。
【００６４】
なお、上述した第１〜第４実施形態では、複数備える自己の電話番号を選択的に使用する携帯電話１００について言及したが、本発明の要旨はこれに限定されず、メールアドレスを複数備える通信端末にも適用可能である。その場合、少なくとも通信した相手メールアドレスとその通信で使用した自己メールアドレスとを対応付けた通信履歴を記憶する通信履歴格納部を設け、メール送信時にこの通信履歴を参照して宛先の相手メールアドレスが、以前にメール通信した相手メールアドレスであるかどうかを判断し、以前にメール通信した相手ならば、その際に使用した自己メールアドレスを通信履歴から抽出してメール送信するので、複数備える自己アドレスの内、既に通信相手が知っている自己アドレス以外を、ユーザの誤操作や勘違いなどでメール送信に使用してしまうことを防ぐことができる。これにより、既に通信相手が知っている自己アドレス以外を通信相手に知られてしまったり、通信相手が見知らぬアドレスからのメール受信で誰からのメールか判らずに混乱してしまうという弊害を解消することができる。
【図面の簡単な説明】
【００６５】
【図１】本発明の第１実施形態の構成を示すブロック図である。
【図２】加入者情報記憶部１４の構成を示す図である。
【図３】着信時処理の動作を示すフローチャートである。
【図４】発信時処理の動作を示すフローチャートである。
【図５】発信時処理の動作を示すフローチャートである。
【図６】自己電話番号抽出処理の動作を示すフローチャートである。
【図７】発信履歴記憶処理の動作を示すフローチャートである。
【図８】通信終了時処理の動作を示すフローチャートである。
【図９】第２実施形態による自己電話番号抽出処理の動作を示すフローチャートである。
【図１０】第３実施形態による自己電話番号抽出処理の動作を示すフローチャートである。
【図１１】第３実施形態による自己電話番号抽出処理の動作を示すフローチャートである。
【図１２】第４実施形態による自己電話番号抽出処理の動作を示すフローチャートである。
【符号の説明】
【００６６】
２  アンテナ
３  スピーカ
４  表示部
５  キー入力部
６  マイク
７  メモリカード
８  カメラ
９  スピーカ
１０  バイブレータ
１１  無線送受信部
１２  無線信号処理部
１３  制御部
１４  加入者情報記憶部
１５  システムＲＯＭ
１６  メモリ
１７  音声信号処理部
１８  ドライバ
１９  ドライバ
２０  ドライバ
２１  入出力インタフェース
１００  携帯電話
【図１】
2007181115.tif 000003
【図２】
2007181115.tif 000004
【図３】
2007181115.tif 000005
【図４】
2007181115.tif 000006
【図５】
2007181115.tif 000007
【図６】
2007181115.tif 000008
【図７】
2007181115.tif 000009
【図８】
2007181115.tif 000010
【図９】
2007181115.tif 000011
【図１０】
2007181115.tif 000012
【図１１】
2007181115.tif 000013
【図１２】
2007181115.tif 000014
【手続補正書】
【提出日】平成18年8月25日(2006.8.25)
【手続補正１】
【補正対象書類名】特許請求の範囲
【補正対象項目名】全文
【補正方法】変更
【補正の内容】
【特許請求の範囲】
【請求項１】
複数の自己電話番号を択一的に通信に使用する携帯無線端末であって、
通信した相手電話番号と前記通信で使用した自己電話番号とを対応付けて通信履歴を記憶する通信履歴記憶手段と、
発信指示された相手電話番号と前記通信履歴記憶手段に記憶されている通信履歴とに基づいて、発信に使用する自己電話番号を抽出する抽出手段と、
前記抽出手段により抽出された自己電話番号を使用して発信指示された相手電話番号に発信する発信手段と
を具備することを特徴とする携帯無線端末。
【請求項２】
前記抽出手段は、
発信指示された相手電話番号が以前に通信した相手電話番号であるか否かを前記通信履歴記憶手段に記憶される通信履歴を参照して判定する判定手段を備え、
前記判定手段により以前に通信した相手電話番号と判定された場合に、当該相手電話番号に対応付けられた自己電話番号を発信に使用する自己電話番号として前記通信履歴記憶手段に記憶される通信履歴から抽出することを特徴とする請求項１記載の携帯無線端末。
【請求項３】
前記抽出手段は、
以前に通信した相手電話番号に対応付けられた自己電話番号を前記通信履歴記憶手段に記憶される通信履歴から検出する検出手段と、
前記検出手段により複数の自己電話番号が検出された場合に、検出された複数の自己電話番号を表示する表示手段と、
前記表示手段により表示される複数の自己電話番号の内から発信に使用する自己電話番号をユーザ操作に応じて選択する選択手段と
を具備することを特徴とする請求項２記載の携帯無線端末。
【請求項４】
前記抽出手段は、
以前に通信した相手電話番号に対応付けられた自己電話番号を前記通信履歴記憶手段に記憶される通信履歴から検出する検出手段と、
前記検出手段により検出される自己電話番号毎の検出回数を計数する計数手段と、
前記計数手段により計数された自己電話番号毎の検出回数の内、検出回数が最も多い自己電話番号を発信に使用する自己電話番号として選択する選択手段と
を具備することを特徴とする請求項２記載の携帯無線端末。
【請求項５】
複数の自己電話番号を択一的に発信に使用する携帯無線端末であって、
発信先の相手電話番号と発信に使用した自己電話番号とを対応付けて発信履歴を記憶する発信履歴記憶手段と、
発信指示された相手電話番号が以前に発信した相手電話番号であるか否かを前記発信履歴記憶手段に記憶される発信履歴を参照して判定する第１の判定手段と、
前記第１の判定手段が以前に発信した相手電話番号と判定した場合には、当該相手電話番号に対応付けられた自己電話番号を前記発信履歴記憶手段に記憶される発信履歴から抽出する第１の抽出手段と、
着信した相手電話番号と着信先の自己電話番号とを対応付けた着信履歴を記憶する着信履歴記憶手段と、
前記第１の判定手段が以前に発信した相手電話番号でないと判定した場合には、発信指示された相手電話番号が以前に着信した相手電話番号であるか否かを前記着信履歴記憶手段に記憶される着信履歴を参照して判定する第２の判定手段と、
前記第２の判定手段により以前に着信した相手電話番号と判定された場合に、当該相手電話番号に対応付けられた自己電話番号を前記着信履歴記憶手段に記憶される着信履歴から抽出する第２の抽出手段と、
前記第１および第２の抽出手段のいずれかにより抽出された自己電話番号を使用して発信指示された相手電話番号に発信する発信手段と
を具備することを特徴とする携帯無線端末。
【請求項６】
複数の自己アドレスを択一的にメール送信に使用する携帯無線端末であって、
メール通信した相手アドレスと前記メール通信で使用した自己アドレスとを対応付けて通信履歴を記憶する通信履歴記憶手段と、
送信指示されたメールの相手アドレスと前記通信履歴記憶手段に記憶されている通信履歴とに基づいて、送信に使用する自己アドレスを抽出する抽出手段と、
前記抽出手段により抽出された自己アドレスを使用して送信指示されたメールを相手アドレスに送信するメール送信手段と
を具備することを特徴とする携帯無線端末。
【請求項７】
コンピュータに、
通信した相手電話番号と前記通信で使用した自己電話番号とを対応付けて通信履歴を記憶する通信履歴記憶処理と、
発信指示された相手電話番号と前記通信履歴記憶処理にて記憶されている通信履歴とに基づいて、発信に使用する自己電話番号を抽出する抽出処理と、
前記抽出処理により抽出された自己電話番号を使用して発信指示された相手電話番号に発信する発信処理と
を実行させることを特徴とするプログラム。
【請求項８】
コンピュータに、
発信先の相手電話番号と発信に使用した自己電話番号とを対応付けて発信履歴を記憶する発信履歴記憶処理と、
発信指示された相手電話番号が以前に発信した相手電話番号であるか否かを前記発信履歴記憶処理にて記憶される発信履歴を参照して判定する第１の判定処理と、
前記第１の判定処理が以前に発信した相手電話番号と判定した場合には、当該相手電話番号に対応付けられた自己電話番号を前記発信履歴記憶処理にて記憶される発信履歴から抽出する第１の抽出処理と、
着信した相手電話番号と着信先の自己電話番号とを対応付けた着信履歴を記憶する着信履歴記憶処理と、
前記第１の判定処理が以前に発信した相手電話番号でないと判定した場合には、発信指示された相手電話番号が以前に着信した相手電話番号であるか否かを前記着信履歴記憶処理にて記憶される着信履歴を参照して判定する第２の判定処理と、
前記第２の判定処理により以前に着信した相手電話番号と判定された場合に、当該相手電話番号に対応付けられた自己電話番号を前記着信履歴記憶処理にて記憶される着信履歴から抽出する第２の抽出処理と、
前記第１および第２の抽出処理のいずれかにより抽出された自己電話番号を使用して発信指示された相手電話番号に発信する発信処理と
を実行させることを特徴とするプログラム。
【請求項９】
コンピュータに、
メール通信した相手アドレスと前記メール通信で使用した自己アドレスとを対応付けて通信履歴を記憶する通信履歴記憶処理と、
送信指示されたメールの相手アドレスと前記通信履歴記憶処理にて記憶されている通信履歴とに基づいて、送信に使用する自己アドレスを抽出する抽出処理と、
前記抽出処理により抽出された自己アドレスを使用して送信指示されたメールを相手アドレスに送信するメール送信処理と
を実行させることを特徴とするプログラム。
【手続補正２】
【補正対象書類名】明細書
【補正対象項目名】０００６
【補正方法】変更
【補正の内容】
【０００６】
上記目的を達成するため、請求項１に記載の発明では、複数の自己電話番号を択一的に通信に使用する携帯無線端末であって、
通信した相手電話番号と前記通信で使用した自己電話番号とを対応付けて通信履歴を記憶する通信履歴記憶手段と、
発信指示された相手電話番号と前記通信履歴記憶手段に記憶されている通信履歴とに基づいて、発信に使用する自己電話番号を抽出する抽出手段と、
前記抽出手段により抽出された自己電話番号を使用して発信指示された相手電話番号に発信する発信手段と
を具備することを特徴とする。
【手続補正３】
【補正対象書類名】明細書
【補正対象項目名】０００７
【補正方法】変更
【補正の内容】
【０００７】
上記請求項１に従属する請求項２に記載の発明では、前記抽出手段は、
発信指示された相手電話番号が以前に通信した相手電話番号であるか否かを前記通信履歴記憶手段に記憶される通信履歴を参照して判定する判定手段を備え、
前記判定手段により以前に通信した相手電話番号と判定された場合に、当該相手電話番号に対応付けられた自己電話番号を発信に使用する自己電話番号として前記通信履歴記憶手段に記憶される通信履歴から抽出することを特徴とする。
【手続補正４】
【補正対象書類名】明細書
【補正対象項目名】０００８
【補正方法】変更
【補正の内容】
【０００８】
上記請求項２に従属する請求項３に記載の発明では、前記抽出手段は、
以前に通信した相手電話番号に対応付けられた自己電話番号を前記通信履歴記憶手段に記憶される通信履歴から検出する検出手段と、
前記検出手段により複数の自己電話番号が検出された場合に、検出された複数の自己電話番号を表示する表示手段と、
前記表示手段により表示される複数の自己電話番号の内から発信に使用する自己電話番号をユーザ操作に応じて選択する選択手段と
を具備することを特徴とする。
【手続補正５】
【補正対象書類名】明細書
【補正対象項目名】０００９
【補正方法】変更
【補正の内容】
【０００９】
上記請求項２に従属する請求項４に記載の発明では、前記抽出手段は、
以前に通信した相手電話番号に対応付けられた自己電話番号を前記通信履歴記憶手段に記憶される通信履歴から検出する検出手段と、
前記検出手段により検出される自己電話番号毎の検出回数を計数する計数手段と、
前記計数手段により計数された自己電話番号毎の検出回数の内、検出回数が最も多い自己電話番号を発信に使用する自己電話番号として選択する選択手段と
を具備することを特徴とする。
【手続補正６】
【補正対象書類名】明細書
【補正対象項目名】００１０
【補正方法】変更
【補正の内容】
【００１０】
請求項５に記載の発明では、複数の自己電話番号を択一的に発信に使用する携帯無線端末であって、
発信先の相手電話番号と発信に使用した自己電話番号とを対応付けて発信履歴を記憶する発信履歴記憶手段と、
発信指示された相手電話番号が以前に発信した相手電話番号であるか否かを前記発信履歴記憶手段に記憶される発信履歴を参照して判定する第１の判定手段と、
前記第１の判定手段が以前に発信した相手電話番号と判定した場合には、当該相手電話番号に対応付けられた自己電話番号を前記発信履歴記憶手段に記憶される発信履歴から抽出する第１の抽出手段と、
着信した相手電話番号と着信先の自己電話番号とを対応付けた着信履歴を記憶する着信履歴記憶手段と、
前記第１の判定手段が以前に発信した相手電話番号でないと判定した場合には、発信指示された相手電話番号が以前に着信した相手電話番号であるか否かを前記着信履歴記憶手段に記憶される着信履歴を参照して判定する第２の判定手段と、
前記第２の判定手段により以前に着信した相手電話番号と判定された場合に、当該相手電話番号に対応付けられた自己電話番号を前記着信履歴記憶手段に記憶される着信履歴から抽出する第２の抽出手段と、
前記第１および第２の抽出手段のいずれかにより抽出された自己電話番号を使用して発信指示された相手電話番号に発信する発信手段と
を具備することを特徴とする。
【手続補正７】
【補正対象書類名】明細書
【補正対象項目名】００１１
【補正方法】変更
【補正の内容】
【００１１】
請求項６に記載の発明では、複数の自己アドレスを択一的にメール送信に使用する携帯無線端末であって、
メール通信した相手アドレスと前記メール通信で使用した自己アドレスとを対応付けて通信履歴を記憶する通信履歴記憶手段と、
送信指示されたメールの相手アドレスと前記通信履歴記憶手段に記憶されている通信履歴とに基づいて、送信に使用する自己アドレスを抽出する抽出手段と、
前記抽出手段により抽出された自己アドレスを使用して送信指示されたメールを相手アドレスに送信するメール送信手段と
を具備することを特徴とする。
請求項７に記載の発明では、コンピュータに、
通信した相手電話番号と前記通信で使用した自己電話番号とを対応付けて通信履歴を記憶する通信履歴記憶処理と、
発信指示された相手電話番号と前記通信履歴記憶処理にて記憶されている通信履歴とに基づいて、発信に使用する自己電話番号を抽出する抽出処理と、
前記抽出処理により抽出された自己電話番号を使用して発信指示された相手電話番号に発信する発信処理と
を実行させることを特徴とする。
請求項８に記載の発明では、コンピュータに、
発信先の相手電話番号と発信に使用した自己電話番号とを対応付けて発信履歴を記憶する発信履歴記憶処理と、
発信指示された相手電話番号が以前に発信した相手電話番号であるか否かを前記発信履歴記憶処理にて記憶される発信履歴を参照して判定する第１の判定処理と、
前記第１の判定処理が以前に発信した相手電話番号と判定した場合には、当該相手電話番号に対応付けられた自己電話番号を前記発信履歴記憶処理にて記憶される発信履歴から抽出する第１の抽出処理と、
着信した相手電話番号と着信先の自己電話番号とを対応付けた着信履歴を記憶する着信履歴記憶処理と、
前記第１の判定処理が以前に発信した相手電話番号でないと判定した場合には、発信指示された相手電話番号が以前に着信した相手電話番号であるか否かを前記着信履歴記憶処理にて記憶される着信履歴を参照して判定する第２の判定処理と、
前記第２の判定処理により以前に着信した相手電話番号と判定された場合に、当該相手電話番号に対応付けられた自己電話番号を前記着信履歴記憶処理にて記憶される着信履歴から抽出する第２の抽出処理と、
前記第１および第２の抽出処理のいずれかにより抽出された自己電話番号を使用して発信指示された相手電話番号に発信する発信処理と
を実行させることを特徴とする。
請求項９に記載の発明では、コンピュータに、
メール通信した相手アドレスと前記メール通信で使用した自己アドレスとを対応付けて通信履歴を記憶する通信履歴記憶処理と、
送信指示されたメールの相手アドレスと前記通信履歴記憶処理にて記憶されている通信履歴とに基づいて、送信に使用する自己アドレスを抽出する抽出処理と、
前記抽出処理により抽出された自己アドレスを使用して送信指示されたメールを相手アドレスに送信するメール送信処理と
を実行させることを特徴とする。
【手続補正８】
【補正対象書類名】明細書
【補正対象項目名】００１２
【補正方法】変更
【補正の内容】
【００１２】
本発明によれば、複数備える自己の電話番号や自己アドレスの使い分けの誤りを防ぐことができる。つまり、複数備える自己電話番号や自己アドレスの内、既に通信相手が知っている自己電話番号や自己アドレス以外を、ユーザの誤操作や勘違いなどで発信やメール送信に使用してしまうことを防ぐことができる。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】